(57)【要約】【課題】負荷の軽い処理で移動態様をより細分化して検出することができること。【解決手段】携帯電子機器は、表示部と、第１情報を取得する歩行検出部と、第２情報および第３情報を取得する状況検出部と、報知部と、第３情報に基づいてユーザに移動体が接近していることを検出するコントローラと、を有し、コントローラは、第１情報および第２情報に基づいて、ユーザが所定領域以外の領域で歩行していると判定すると、表示部の表示に設定した第１画面を表示させ、第１情報および第２情報に基づいて、ユーザが所定領域で歩行していると判定すると、第３情報に基づいてユーザに移動体が接近していることを検出するより前に報知部で第１報知を行う。【選択図】図５
2018042292.tif 000002
【特許請求の範囲】
【請求項１】
表示部と、
第１情報を取得する歩行検出部と、
第２情報および第３情報を取得する状況検出部と、
報知部と、
前記第３情報に基づいてユーザに移動体が接近していることを検出するコントローラと、
を有し、
前記コントローラは、
前記第１情報および前記第２情報に基づいて、前記ユーザが所定領域以外の領域で歩行していると判定すると、前記表示部の表示に設定した第１画面を表示させ、
前記第１情報および前記第２情報に基づいて、前記ユーザが前記所定領域で歩行していると判定すると、前記第３情報に基づいて前記ユーザに移動体が接近していることを検出するより前に前記報知部で第１報知を行う、携帯電子機器。
【請求項２】
前記コントローラは、前記ユーザが前記所定領域で歩行していると判定すると、前記表示部の表示に設定した前記第１画面と異なる第２画面を表示させる、請求項１に記載の携帯電子機器。
【請求項３】
前記コントローラは、前記ユーザが前記所定の領域で歩行していると判定して前記報知部で第１報知した後に前記ユーザに移動体が接近していることを検出すると、前記報知部で第２報知を行う、請求項１または請求項２に記載の携帯電子機器。
【請求項４】
前記状況検出部は、近距離無線通信部を含み、
前記コントローラは、前記近距離無線通信部により通信を確立した機器から受信した前記第２情報に基づいて、前記ユーザが前記所定領域にいるかを判定する、請求項１から請求項３のいずれか一項に記載の携帯電子機器。
【請求項５】
前記状況検出部は、地球上の位置情報を検出する位置検出部を含み、
前記コントローラは、前記位置検出部が検出した位置情報に基づいて、前記ユーザが前記所定領域にいるかを判定する、請求項１から請求項４のいずれか一項に記載の携帯電子機器。
【請求項６】
前記報知部は、振動部を含む、請求項１から請求項５のいずれか一項に記載の携帯電子機器。
【請求項７】
前記報知部は、音声出力部を含む、請求項１から請求項６のいずれか一項に記載の携帯電子機器。
【請求項８】
前記報知部は、発光部を含む、請求項１から請求項７のいずれか一項に記載の携帯電子機器。
【請求項９】
表示部を備える携帯電子機器を制御する携帯電子機器制御方法であって、
第１情報を取得し、前記第１情報に基づいてユーザが歩行しているかを判定し、
第２情報を取得し、前記第２情報に基づいて、ユーザが所定領域にいるか否かを判定し、
前記ユーザが歩行していることを検出し、かつ、前記ユーザが所定領域以外にいると判定すると、前記表示部の表示に設定した第１画面を表示させ、
前記ユーザが歩行していることを検出し、かつ、前記ユーザが前記所定領域にいると判定すると、第１報知を行い、
第１報知を行った後に第３情報に基づいてユーザに移動体が接近していることを検出する、携帯電子機器制御方法。
【請求項１０】
表示部を備える携帯電子機器に、
第１情報を取得し、前記第１情報に基づいてユーザが歩行しているかを判定させ、
第２情報を取得し、前記第２情報に基づいて、ユーザが所定領域にいるか否かを判定させ、
前記ユーザが歩行していることを検出し、かつ、前記ユーザが所定領域以外にいると判定すると、前記表示部の表示に設定した第１画面を表示させ、
前記ユーザが歩行していることを検出し、かつ、前記ユーザが前記所定領域にいると判定すると、第１報知を行わせ、
第１報知を行った後に第３情報に基づいてユーザに移動体が接近していることを検出させる、携帯電子機器制御プログラム。
【発明の詳細な説明】
【技術分野】
【０００１】
本出願は、携帯電子機器、携帯電子機器制御方法及び携帯電子機器制御プログラムに関する。
【背景技術】
【０００２】
携帯通信機器の携帯電子機器には、ユーザが移動中であるかを判定することができるものが存在する。例えば、特許文献１には、加速度センサなどの検出結果からユーザの歩行を判定する技術が開示されている。
【先行技術文献】
【特許文献】
【０００３】
【特許文献１】特開２００９−２６７７７０号公報
【発明の概要】
【発明が解決しようとする課題】
【０００４】
携帯電子機器は、歩行中に表示した画面を表示させている場合、画面に歩きながらの操作が危険であることを通知する機能を備えるものがある。しかしながら、操作の邪魔にならない通知では、通知の効果が少ない。これに対して、画面に歩きながらの操作が危険であることをユーザに通知することが操作の阻害となる状況の場合、通知機能が使用されない恐れがある。
【０００５】
上記のことから、ユーザに対して歩きながらの操作が危険であることを適切に通知することができる携帯電子機器、携帯電子機器制御方法及び携帯電子機器制御プログラムに対するニーズがある。
【課題を解決するための手段】
【０００６】
１つの態様に係る携帯電子機器は、表示部と、第１情報を取得する歩行検出部と、第２情報および第３情報を取得する状況検出部と、報知部と、第３情報に基づいてユーザに移動体が接近していることを検出するコントローラと、を有し、コントローラは、第１情報および第２情報に基づいて、ユーザが所定領域以外の領域で歩行していると判定すると、表示部の表示に設定した第１画面を表示させ、第１情報および第２情報に基づいて、ユーザが所定領域で歩行していると判定すると、第３情報に基づいてユーザに移動体が接近していることを検出するより前に報知部で第１報知を行う。
【０００７】
１つの態様に係る携帯電子機器制御方法は、表示部を備える携帯電子機器を制御する携帯電子機器制御方法であって、第１情報を取得し、第１情報に基づいてユーザが歩行しているかを判定し、第２情報を取得し、第２情報に基づいて、ユーザが所定領域にいるか否かを判定し、ユーザが歩行していることを検出し、かつ、ユーザが所定領域以外にいると判定すると、表示部の表示に設定した第１画面を表示させ、ユーザが歩行していることを検出し、かつ、ユーザが所定領域にいると判定すると、第１報知を行い、第１報知を行った後に第３情報に基づいてユーザに移動体が接近していることを検出する。
【０００８】
１つの態様に係る携帯電子機器制御プログラムは、表示部を備える携帯電子機器に、第１情報を取得し、第１情報に基づいてユーザが歩行しているかを判定させ、第２情報を取得し、第２情報に基づいて、ユーザが所定領域にいるか否かを判定させ、ユーザが歩行していることを検出し、かつ、ユーザが所定領域以外にいると判定すると、表示部の表示に設定した第１画面を表示させ、ユーザが歩行していることを検出し、かつ、ユーザが所定領域にいると判定すると、第１報知を行わせ、第１報知を行った後に第３情報に基づいてユーザに移動体が接近していることを検出させる。
【図面の簡単な説明】
【０００９】
【図１】図１は、制御システムの概略構成を示す模式図である。
【図２】図２は、実施形態に係るスマートフォンの斜視図である。
【図３】図３は、スマートフォンの正面図である。
【図４】図４は、スマートフォンの背面図である。
【図５】図５は、スマートフォンのブロック図である。
【図６】図６は、実施形態に係るスマートフォンが行う制御の一例を示すフローチャートである。
【図７】図７は、実施形態に係るスマートフォンが行う制御の一例を示すフローチャートである。
【図８】図８は、実施形態に係るスマートフォンが行う制御の一例を示すフローチャートである。
【図９】図９は、実施形態に係るスマートフォンが行う制御の一例を示すフローチャートである。
【発明を実施するための形態】
【００１０】
本発明を実施するための実施形態を、図面を参照しつつ詳細に説明する。以下では、携帯電子機器の例として、スマートフォンについて説明する。
【００１１】
スマートフォン１を含む制御システム１００の概略構成について説明する。図１は、制御システムの概略構成を示す模式図である。制御システム１００は、スマートフォン１と、路側機１０４と、を含む。なお、図１では、１つの交差点の１つのスマートフォン１と４つの路側機１０４とを示しているが、制御システム１００は、多数のスマートフォン１と多数の路側機１０４と、を含む。制御システム１００は、スマートフォン１と通信を行い、スマートフォン１にスマートフォン１の周囲の状況に関する情報を送信する種々の通信機器が含まれる。
【００１２】
路側機１０４は、信号機１０６、信号機１０８の表示を制御する。信号機１０６、信号機１０８は、交差点１０９に配置されている。交差点１０９は、車両が通行する道路に横断歩道１１０が設けられている。信号機１０６は、車両１０２に対して設置されている。信号機１０６は、交差点１０９の各道路に配置され、対応する道路が通行可能な状態であるか、通行禁止の状態であるかを示す。信号機１０８は、横断歩道１１０を横断する歩行者に対して配置されている。信号機１０８は、交差点１０９の各横断歩道１１０に配置され、対応する横断歩道１１０が通行可能な状態であるか、通行禁止の状態であるかを示す。
【００１３】
路側機１０４は、通信部１１２と、制御部１１４と、記憶部１１６と、を有する。通信部１１２は、無線により通信する。通信部１１２によってサポートされる通信方式は、無線通信規格である。無線通信規格として、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）等がある。無線通信規格として、例えば、さらに、２Ｇ、３Ｇ、４Ｇ等のセルラーフォンの通信規格がある。セルラーフォンの通信規格として、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。通信部１１２は、上述した通信規格の１つ又は複数をサポートしていてもよい。通信部１１２は、有線による通信をサポートしてもよい。有線による通信は、例えば、イーサネット（登録商標）、ファイバーチャネル等を含む。通信部１１２は、他の路側機１０４、信号機１０６、信号機１０８と通信を行い、信号機１０６、１０８の表示を制御する信号を出力する。また、通信部１１２は、近距離無線通信で所定領域１２０内にある通信機器、具体的には、車両１０２に搭載されている通信機器や、スマートフォン１と通信を行い、データの送受信を行う。
【００１４】
制御部１１４は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、及びＦＰＧＡ（Ｆｉｅｌｄ−Ｐｒｏｇｒａｍｍａｂｌｅ  Ｇａｔｅ  Ａｒｒａｙ）を含むが、これらに限定されない。制御部１１４は、路側機１０４の動作を統括的に制御して各種の機能を実現する。
【００１５】
具体的には、制御部１１４は、記憶部１１６に記憶されているデータを必要に応じて参照しつつ、記憶部１１６に記憶されているプログラムに含まれる命令を実行する。そして、制御部１１４は、データ及び命令に応じて機能部を制御し、それによって各種機能を実現する。
【００１６】
記憶部１１６は、プログラム及びデータを記憶する。記憶部１１６は、制御部１１４の処理結果を一時的に記憶する作業領域としても利用される。記憶部１１６は、半導体記憶媒体、及び磁気記憶媒体等の任意の非一過的（ｎｏｎ−ｔｒａｎｓｉｔｏｒｙ）な記憶媒体を含んでよい。記憶部１１６は、複数の種類の記憶媒体を含んでよい。記憶部１１６は、メモリカード、光ディスク、又は光磁気ディスク等の可搬の記憶媒体と、記憶媒体の読み取り装置との組み合わせを含んでよい。記憶部１１６は、ＲＡＭ（Ｒａｎｄｏｍ  Ａｃｃｅｓｓ  Ｍｅｍｏｒｙ）等の一時的な記憶領域として利用される記憶デバイスを含んでよい。
【００１７】
記憶部１１６に記憶されるプログラムには、信号機１０６、信号機１０８の表示制御を実行するプログラムと、所定の範囲にある通信機器との通信確立処理及びデータの送受信の制御を実行するプログラムと、を含む。記憶部１１６に記憶されるデータには、各位置に設置された信号機１０６、信号機１０８の表示を制御する基準のデータや、他の通信機器に送信するデータ等を含む。
【００１８】
路側機１０４は、交差点１０９に対して設置された他の路側機１０４と通信を行い、交差点１０９に配置された信号機１０６、信号機１０８の表示を制御する。具体的には、路側機１０４は、交差する道路の一方の道路の信号機１０６、信号機１０８を通行可能な表示とし、交差する道路の他方の道路の信号機１０６、信号機１０８を通行不可の表示とする。路側機１０４は、この状態から、所定時間が経過した場合、交差する道路の両方の信号機１０６、信号機１０８を通行不可の表示とした後、交差する道路の一方の道路の信号機１０６、信号機１０８を通行不可の表示とし、交差する道路の他方の道路の信号機１０６、信号機１０８を通行可能な表示とする。これにより、路側機１０４は、交差点１０９を通行できる車両１０２や人を制限し、交差点１０９での事故の発生を抑制する。また、路側機１０４は、車両に対する信号機１０６と、歩行者に対する信号機１０８と、を別々に制御し、歩行者のみが通行可能な状態や、車両のみが通行可能な状態とすることもできる。
【００１９】
図２から図４を参照しながら、実施形態の一つに係るスマートフォン１の全体的な構成について説明する。図２から図４に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００２０】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、スピーカ１１と、カメラ１３と、発光部２３と、をバックフェイス１Ｂに有する。スマートフォン１は、ボタン３Ｄ〜３Ｆと、コネクタ１４とをサイドフェイス１Ｃに有する。以下では、ボタン３Ａ〜３Ｆを、どのボタンであるかを特定することなく、ボタン３と総称することがある。
【００２１】
タッチスクリーンディスプレイ２は、ディスプレイ２Ａと、タッチスクリーン２Ｂとを有する。図２の例では、ディスプレイ２Ａ及びタッチスクリーン２Ｂはそれぞれ略長方形状であるが、ディスプレイ２Ａ及びタッチスクリーン２Ｂの形状はこれに限定されない。ディスプレイ２Ａ及びタッチスクリーン２Ｂは、それぞれが正方形又は円形等のどのような形状もとりうる。図２の例では、ディスプレイ２Ａ及びタッチスクリーン２Ｂは重なって位置しているが、ディスプレイ２Ａ及びタッチスクリーン２Ｂの位置はこれに限定されない。ディスプレイ２Ａ及びタッチスクリーン２Ｂは、例えば、並んで位置してもよいし、離れて位置してもよい。図２の例では、ディスプレイ２Ａの長辺はタッチスクリーン２Ｂの長辺に沿っており、ディスプレイ２Ａの短辺はタッチスクリーン２Ｂの短辺に沿っているが、ディスプレイ２Ａ及びタッチスクリーン２Ｂの重ね方はこれに限定されない。ディスプレイ２Ａとタッチスクリーン２Ｂとが重なって位置する場合、例えば、ディスプレイ２Ａの１ないし複数の辺は、タッチスクリーン２Ｂのいずれの辺とも沿っていなくてもよい。
【００２２】
ディスプレイ２Ａは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを備える。ディスプレイ２Ａは、文字、画像、記号、及び図形等のオブジェクトを表示する。
【００２３】
タッチスクリーン２Ｂは、タッチスクリーン２Ｂに対する指、ペン、又はスタイラスペン等の接触を検出する。タッチスクリーン２Ｂは、複数の指、ペン、又はスタイラスペン等がタッチスクリーン２Ｂに接触した位置を検出することができる。
【００２４】
タッチスクリーン２Ｂの検出方式は、静電容量方式、抵抗膜方式、表面弾性波方式、赤外線方式、及び荷重検出方式等の任意の方式でよい。以下の説明では、説明を簡単にするため、ユーザはスマートフォン１を操作するために指を用いてタッチスクリーン２Ｂに接触するものと想定する。
【００２５】
スマートフォン１は、タッチスクリーン２Ｂにより検出された接触、接触が検出された位置、接触が検出された位置の変化、接触が検出された間隔、及び接触が検出された回数の少なくとも１つに基づいてジェスチャの種別を判別する。ジェスチャは、タッチスクリーン２Ｂに対して行われる操作である。スマートフォン１によって判別されるジェスチャは、例えば、タッチ、ロングタッチ、リリース、スワイプ、タップ、ダブルタップ、ロングタップ、ドラッグ、フリック、ピンチイン、及びピンチアウトを含むがこれらに限定されない。
【００２６】
図５は、スマートフォン１のブロック図である。スマートフォン１は、タッチスクリーンディスプレイ２と、ボタン３と、照度センサ４と、近接センサ５と、通信ユニット６と、レシーバ（音出力部）７と、マイク（音出力部）８と、ストレージ９と、コントローラ１０と、スピーカ１１と、カメラ１２及び１３と、コネクタ１４と、加速度センサ１５と、方位センサ１６と、ジャイロスコープ１７と、磁気センサ１８と、気圧センサ１９と、バイブレータ２２と、発光部２３と、ＧＰＳ受信機２４と、を有する。なお、スマートフォン１は、ＧＰＳ受信機２４の代替、或いは、補完として、ＧＰＳ衛星以外の測位用人工衛星からの電波信号の受信機を有してもよい。ＧＰＳ衛星以外の測位用人工衛星は、例えば、ＧＬＯＮＡＳＳ（Global  Navigation  Satellite  System）の人工衛星、ＩＲＮＳＳ（Indian  Regional  Navigational  Satellite  System）の人工衛星、ＣＯＭＰＡＳＳの人工衛星、ＧＡＬＩＬＥＯの人工衛星、等を含む。
【００２７】
タッチスクリーンディスプレイ２は、上述したように、ディスプレイ２Ａと、タッチスクリーン２Ｂとを有する。ディスプレイ２Ａは、文字、画像、記号、又は図形等を表示する。タッチスクリーン２Ｂは、接触を検出する。コントローラ１０は、スマートフォン１に対するジェスチャを検出する。具体的には、コントローラ１０は、タッチスクリーン２Ｂと協働することによって、タッチスクリーン２Ｂ（タッチスクリーンディスプレイ２）に対する操作（ジェスチャ）を検出する。
【００２８】
ボタン３は、ユーザによって操作される。ボタン３は、ボタン３Ａ〜ボタン３Ｆを有する。コントローラ１０はボタン３と協働することによってボタン３に対する操作を検出する。ボタン３に対する操作は、例えば、クリック、ダブルクリック、トリプルクリック、プッシュ、及びマルチプッシュを含むが、これらに限定されない。
【００２９】
ボタン３Ａ〜３Ｃは、例えば、ホームボタン、バックボタンまたはメニューボタンである。ボタン３Ｄは、例えば、スマートフォン１のパワーオン／オフボタンである。ボタン３Ｄは、スリープ／スリープ解除ボタンを兼ねてもよい。ボタン３Ｅ及び３Ｆは、例えば、音量ボタンである。
【００３０】
照度センサ４は、スマートフォン１の周囲光の照度を検出する。照度は、光の強さ、明るさ、又は輝度を示す。照度センサ４は、例えば、ディスプレイ２Ａの輝度の調整に用いられる。近接センサ５は、近隣の物体の存在を非接触で検出する。近接センサ５は、磁界の変化または超音波の反射波の帰還時間の変化等に基づいて物体の存在を検出する。近接センサ５は、例えば、タッチスクリーンディスプレイ２が顔に近付けられたことを検出する。照度センサ４及び近接センサ５は、一つのセンサとして構成されていてもよい。照度センサ４は、近接センサとして用いられてもよい。
【００３１】
通信ユニット６は、無線により通信する。ある実施形態の通信ユニット６は、少なくとも近距離無線の機能を備えている。通信ユニット６によってサポートされる通信方式は、無線通信規格である。無線通信規格として、例えば、２Ｇ、３Ｇ、４Ｇ、５Ｇ等のセルラーフォンの通信規格がある。セルラーフォンの通信規格として、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。無線通信規格として、さらに、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）等がある。通信ユニット６は、上述した通信規格の１つ又は複数をサポートしていてもよい。通信ユニット６は、有線による通信をサポートしてもよい。有線による通信は、例えば、イーサネット（登録商標）、ファイバーチャネル等を含む。実施形態の１つにおいて、通信ユニット６は、道路傍に配置される路側機との通信を可能とするための通信規格をサポートしてよい。例えば、スマートフォン１は、通信ユニット６を介して路側機と通信することにより、高度道路交通システムの情報を取得してよい。実施形態の１つにおいて、通信ユニット６は、車両に搭載される通信機器との通信を可能とするための通信規格をサポートしてよい。例えば、スマートフォン１は、通信ユニット６を介して車両と通信することにより、車両の情報を取得してよい。
【００３２】
レシーバ７及びスピーカ１１は、音出力部である。レシーバ７及びスピーカ１１は、コントローラ１０から送信される音信号を音として出力する。レシーバ７は、例えば、通話時に相手の声を出力するために用いられる。スピーカ１１は、例えば、着信音及び音楽を出力するために用いられる。レシーバ７及びスピーカ１１の一方が、他方の機能を兼ねてもよい。マイク８は、音入力部である。マイク８は、ユーザの音声等を音信号へ変換してコントローラ１０へ送信する。
【００３３】
ストレージ９は、プログラム及びデータを記憶する。ストレージ９は、コントローラ１０の処理結果を一時的に記憶する作業領域としても利用される。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の可搬の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００３４】
ストレージ９に記憶されるプログラムには、フォアグランド又はバックグランドで実行されるアプリケーションと、アプリケーションの動作を支援する制御プログラムとが含まれる。アプリケーションは、例えば、ディスプレイ２Ａに画面を表示させ、タッチスクリーン２Ｂを介して検出されるジェスチャに応じた処理をコントローラ１０に実行させる。制御プログラムは、例えば、ＯＳである。アプリケーション及び制御プログラムは、通信ユニット６による通信又は非一過的な記憶媒体を介してストレージ９にインストールされてもよい。
【００３５】
ストレージ９は、例えば、制御プログラム９Ａ、状況判定データ９Ｂ、移動状態データ９Ｃ及び設定データ９Ｄを記憶する。状況判定データ９Ｂは、各種センサで検出した情報に基づいて周囲の状況を判定する情報、及び周囲の情報に基づいてスマートフォン１で実行する処理に関する情報を含む。状況判定データ９Ｂは、所定の処理を実行させる領域である所定領域にユーザがいるか否かを判定する基準のデータを記憶している。具体的には、路側機と通信を確立している場合は、所定領域にいると判定するデータを記憶している。移動状態データ９Ｃは、ユーザの移動方法の推定に用いられる情報を含む。移動状態データ９Ｃは、予め試験やシミュレーション等によって検出した、センサの検出結果と移動方法との対応関係を記憶している。ある実施形態の移動状態データ９Ｃは、ユーザが歩行しているか否かを判定する基準のデータを記憶している。設定データ９Ｄは、スマートフォン１の動作に関する各種の設定に関する情報を含む。
【００３６】
制御プログラム９Ａは、スマートフォン１を稼働させるための各種制御に関する機能を提供する。制御プログラム９Ａは、例えば、通信ユニット６、レシーバ７、及びマイク８等を制御することによって、通話を実現させる。制御プログラム９Ａが提供する機能には、ディスプレイ２Ａに表示する情報を制御する機能が含まれる。制御プログラム９Ａが提供する機能には、タッチスクリーン２Ｂを介して検出されたジェスチャに応じて、ディスプレイ２Ａに表示されている情報を変更する等の各種制御を行う機能が含まれる。制御プログラム９Ａが提供する機能は、メールアプリケーション等の他のプログラムが提供する機能と組み合わせて利用されることがある。
【００３７】
コントローラ１０は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、及びＦＰＧＡ（Ｆｉｅｌｄ−Ｐｒｏｇｒａｍｍａｂｌｅ  Ｇａｔｅ  Ａｒｒａｙ）を含むが、これらに限定されない。コントローラ１０は、スマートフォン１の動作を統括的に制御して各種の機能を実現する。
【００３８】
具体的には、コントローラ１０は、ストレージ９に記憶されているデータを必要に応じて参照しつつ、ストレージ９に記憶されているプログラムに含まれる命令を実行する。そして、コントローラ１０は、データ及び命令に応じて機能部を制御し、それによって各種機能を実現する。機能部は、例えば、ディスプレイ２Ａ、通信ユニット６、レシーバ７、及びスピーカ１１の少なくとも１つを含んでもよくこれらに限定されない。コントローラ１０は、検出部の検出結果に応じて、制御を変更することがある。検出部は、例えば、タッチスクリーン２Ｂ、ボタン３、照度センサ４、近接センサ５、マイク８、カメラ１２、カメラ１３、加速度センサ１５、方位センサ１６、ジャイロスコープ１７、磁気センサ１８及び気圧センサ１９の少なくとも１つを含んでもよいが、これらに限定されない。
【００３９】
コントローラ１０は、例えば、制御プログラム９Ａを実行することにより、タッチスクリーン２Ｂを介して検出されたジェスチャに応じて、ディスプレイ２Ａに表示されている情報を変更する等の各種制御を実行する。
【００４０】
カメラ１２は、フロントフェイス１Ａに面している物体を撮影するインカメラである。カメラ１３は、バックフェイス１Ｂに面している物体を撮影するアウトカメラである。
【００４１】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置を含むが、これらに限定されない。
【００４２】
加速度センサ１５は、スマートフォン１に働く加速度の方向及び大きさを示す情報を検出する。方位センサ１６は、地磁気の向きを示す情報を検出する。ジャイロスコープ１７は、スマートフォン１の角度及び角速度の情報を検出する。磁気センサ１８は、スマートフォン１の周囲の磁力の情報を検出する。気圧センサ１９は、スマートフォン１の外側の気圧（大気圧）の情報を検出する。気圧センサ１９は、ハウジング２０の内部に位置している。ハウジング２０は、水は通過させないが空気を通過させる穴で内部と外部の気圧が連動している。これにより、気圧センサ１９は、内部に位置した状態で、スマートフォン１の外側の気圧を検出することができる。加速度センサ１５、方位センサ１６及びジャイロスコープ１７の検出結果は、例えば、スマートフォン１の位置及び姿勢の変化を検出するために、組み合わせて利用される。
【００４３】
バイブレータ２２は、ハウジング２０を振動させる。バイブレータは、振動を発生させるために、例えば、圧電素子、又は偏心モータなどを有する。発光部２３は、バックフェイス１Ｂに配置されており、光を出射する。発光部２３は、発光部２３は、カメラ１３での撮影時の照明や、周囲を照らす照明となる。
【００４４】
ＧＰＳ受信機２４は、ＧＰＳ衛星からの所定の周波数帯の電波信号を受信する。ＧＰＳ受信機２４は、受信した電波信号の復調処理を行って、処理後の信号をコントローラ１０に送出する。ＧＰＳ受信機２４は、スマートフォン１の現在位置の演算処理をサポートする。ＧＰＳ衛星以外の測位用人工衛星からの電波信号の受信機が、スマートフォン１の現在位置の演算処理をサポートしてもよい。
【００４５】
図５においてストレージ９が記憶するプログラム及びデータの一部又は全部は、通信ユニット６による通信で他の装置からダウンロードされてもよい。図５においてストレージ９が記憶するプログラム及びデータの一部又は全部は、ストレージ９に含まれる読み取り装置が読み取り可能な非一過的な記憶媒体に記憶されていてもよい。図５においてストレージ９が記憶するプログラム及びデータの一部又は全部は、コネクタ１４に接続される読み取り装置が読み取り可能な非一過的な記憶媒体に記憶されていてもよい。非一過的な記憶媒体は、例えば、ＣＤ（登録商標）、ＤＶＤ（登録商標）、Ｂｌｕ−ｒａｙ（登録商標）等の光ディスク、光磁気ディスク、磁気記憶媒体、メモリカード、及びソリッドステート記憶媒体を含むが、これらに限定されない。
【００４６】
図５に示したスマートフォン１の構成は例であり、本発明の要旨を損なわない範囲において適宜変更してよい。例えば、ボタン３の数と種類は図５の例に限定されない。スマートフォン１は、画面に関する操作のためのボタンとして、ボタン３Ａ〜３Ｃに代えて、テンキー配列又はＱＷＥＲＴＹ配列等のボタンを備えていてもよい。スマートフォン１は、画面に関する操作のために、ボタンを１つだけ備えてもよいし、ボタンを備えなくてもよい。図５に示した例では、スマートフォン１が２つのカメラを備えるが、スマートフォン１は、１つのカメラのみを備えてもよいし、カメラを備えなくてもよい。図５に示した例では、スマートフォン１が位置及び姿勢を検出するために３種類のセンサを備えるが、スマートフォン１は、このうちいくつかのセンサを備えなくてもよい。あるいは、スマートフォン１は、位置及び姿勢の少なくとも１つを検出するための他の種類のセンサを備えてもよい。
【００４７】
次に、図６から図９を参照して、スマートフォン１が実行している制御について説明する。図６から図９は、それぞれ実施形態に係るスマートフォンが行う制御の一例を示すフローチャートである。
【００４８】
まず、図６及び図７を用いて、スマートフォン１が実行する全体処理について説明する。スマートフォン１は、コントローラ１０でストレージ９に記憶されている制御プログラム９Ａを実行することで、図６及び図７に示す機能を実現することができる。また、コントローラ１０は、図６及び図７に示す処理手順と並行して、他の機能の処理手順を実行することがある。コントローラ１０は、図６に示す処理を所定周期で繰り返し実行してもよいし、状態の変化をトリガーとして実行してもよい。
【００４９】
まず、コントローラ１０は、ステップＳ１２として、画面を表示中であるかを判定する。つまり、ディスプレイ２Ａに画像を表示させている状態であるかを判定する。コントローラ１０は、画面を表示中ではない（ステップＳ１２でＮｏ）と判定した場合、ステップＳ１２の処理に戻る。コントローラ１０は、画面を表示中である（ステップＳ１２でＹｅｓ）と判定した場合、ステップＳ１４として、センサの検出結果を取得する。具体的には、コントローラ１０は、加速度センサ１５、磁気センサ１８及びジャイロスコープ１７の少なくとも１つの検出結果と、通信ユニット６及びＧＰＳ受信機２４の少なくとも１つの検出結果を取得する。加速度センサ１５、磁気センサ１８及びジャイロスコープ１７の少なくとも１つの検出結果は、移動状態の判定に用い、歩行しているか否かの判定に用いる。通信ユニット６及びＧＰＳ受信機２４の少なくとも１つの検出結果は、スマートフォン１を所持しているユーザが所定領域にいるか否かの判定に用いる。
【００５０】
コントローラ１０は、センサの検出結果を取得した後、ステップＳ１６として、ユーザが歩行しているかを判定する。具体的には、コントローラ１０は、加速度センサ１５、磁気センサ１８、ジャイロスコープ１７の検出結果（第１情報）と移動状態データ９Ｃとを比較し、比較結果に基づいて、ユーザが歩行しているかを判定する。ここで、ユーザが歩行していない状態とは、ユーザが立ち止まっている状態及び他の移動手段、例えば、ユーザが自転車、バイク、自動車、電車、水陸両用車、船及び飛行機で移動している状態を含む。また、ユーザが歩行している状態は、移動方法がユーザの足による移動である種々の場合を含む。ユーザの足による移動とは、ユーザがスマートフォン１を所持した状態で、自力で移動している状態、移動を補助する乗り物に乗らずに移動する状態である。ユーザの足による移動には、歩行つまり歩いている及び走行つまり走っている、の少なくとも一方が含まれる。また、ユーザの足による移動には、ユーザの足で移動せずに立ち止まっている状態も含む。ユーザの足による移動には、ユーザが杖や手押し車等を用いて歩行することも含まれる。
【００５１】
コントローラ１０は、ユーザが歩行していない（ステップＳ１６でＮｏ）と判定した場合、ステップＳ１２に戻る。コントローラ１０は、ユーザが歩行している（ステップＳ１６でＹｅｓ）と判定した場合、ステップＳ１８として、ユーザが交差点領域にいるかを判定する。ある実施形態のコントローラ１０は、通信ユニット６から取得した情報（第２情報）と状況判定データ９Ｂとに基づいて、路側機１０４と通信が確立しているかを判定する。コントローラ１０は、路側機１０４と通信を確立していると判定した場合、ユーザが交差点領域にいると判定する。つまり、コントローラ１０は、所定領域１２０を交差点領域として、路側機１０４と通信している状態に基づいて、ユーザが、交差点１０９を含む交差点１０９の周辺の領域である所定領域１２０の中にいると判定する。
【００５２】
図７を用いて、処理の一例をより具体的に説明する。コントローラ１０は、ステップＳ３２として、センサの検出結果に基づいて、近距離無線通信可能な機器を検出する。通信可能な機器とは、データを送受信できる信号が到達している範囲にある通信機器である。コントローラ１０は、通信可能な機器を検出した場合、ステップＳ３４として、路側機１０４と通信可能であるかを判定する。コントローラ１０は、路側機と通信可能である（ステップＳ３４でＹｅｓ）と判定した場合、ステップＳ３６として、交差点領域にいると判定する。コントローラ１０は、路側機と通信可能ではない（ステップＳ３４でＮｏ）と判定した場合、ステップＳ３８として、交差点領域にいないと判定する。コントローラ１０は、以上の処理で、通信ユニット６をセンサとし、通信ユニット６の通信結果に基づいて路側機１０４との位置関係を特定し、交差点領域にいるかを判定する。
【００５３】
コントローラ１０は、交差点領域にいない（ステップＳ１８でＮｏ）と判定した場合、ステップＳ１９として、第１画面を表示させる。第１画面は、「歩きスマホ注意」というメッセージを含み背景が透明な画像を表示している画面に積層させた画面である。コントローラ１０は、交差点領域にいる（ステップＳ１８でＹｅｓ）と判定した場合、ステップＳ２０として、第２画面を表示させ、ステップＳ２２として、バイブレータ２２でハウジング２０を振動させる。第２画面は、「周囲に注意してください」というメッセージを含み背景が透明な画像を表示している画面に積層させた画面である。
【００５４】
スマートフォン１は、以上のように、歩行を検出している場合、交差点領域（所定領域）にいるか否かで通知の方法を変化させることで、より注意が必要な所定領域にいる場合に、よりユーザに伝わりやすい方法で報知を行うことができる。これにより、通知の必要性に対応して報知方法を変化させることができるため、ユーザに対してより適切な負荷で報知を行うことができる。これにより、歩きながらのスマートフォン１の使用に対して注意を行う機能をユーザが使いやすくすることができ、より注意が必要な状態を適切に知ることができる。
【００５５】
また、ある実施形態のスマートフォン１は、ユーザが交差点領域にいる場合、バイブレータでハウジングを振動させることで、ユーザがスマートフォン１を使いにくい状態とすることができ、ユーザが交差点で歩きながらスマートフォン１の画面表示を使用することを抑制することができる。
【００５６】
また、スマートフォン１は、ユーザが交差点領域におり、かつ、ユーザが歩いている場合、バイブレータ２２の振動以外の方法で、ユーザに通知を行ってもよい。報知方法としては、スピーカ１１から警告音、警告メッセージを出力してもよいし、発光部２３を発光させ、光で通知してもよい。音または光で報知を行うことで、周囲にスマートフォン１を使用していることを報知することができ、ユーザがスマートフォン１の使用をやめやすい環境を作ることができる。
【００５７】
なお、図６に示す処理では、画面表示中である場合、センサの検出結果を取得する処理としたが、歩行しているか否かの判定に用いるデータ、周囲状況の判定に用いるデータの取得は、常に行ってもよいし、図６に示す処理とは別の処理で実行してもよい。また、コントローラ１０は、ユーザが歩いているときの状況に基づいて実行する処理を切り換えることができれば、ユーザが歩いているかの判定と、ユーザが交差点領域にいるかの判定の順序は逆にしてもよい。
【００５８】
また、上記実施形態では、ユーザが歩いている場合で、ユーザが交差点領域にいるか否かで表示するメッセージを変化させたが、メッセージは同一でもよい。
【００５９】
また、スマートフォン１は、ユーザが交差点領域にいる場合の周囲の状況に応じて、危険度がさらに高い状況を検出した場合、ユーザにより伝わる方法で報知を行ってもよい。図８は、実施形態の一つに係るスマートフォンが行う制御の一例を示すフローチャートである。図８の処理は、一部を除いて、図６の処理を適用してよい。以下、図８の処理に特有の点を説明する。
【００６０】
コントローラ１０は、ステップＳ１６でユーザが歩行していると判定し、ステップＳ１８でユーザが交差点領域にいると判定する。そして、コントローラ１０は、第２画面を表示させ、バイブレータで加振を行った後、ステップＳ４２として、ユーザに接近する車両があるかを判定する。コントローラ１０は、通信ユニット６を介して路側機１０４から情報（第３情報）を取得し、路側機１０４が通信可能な車両１０２が存在することを示す情報を取得した場合、ユーザに接近する車両があると判定する。コントローラ１０は、ユーザに接近する車両がない（ステップＳ４２でＮｏ）と判定した場合、本処理を終了する。コントローラ１０は、ユーザに接近する車両がある（ステップＳ４２でＹｅｓ）と判定した場合、ステップＳ４４として、スピーカ１１から音声を出力する。なお、スピーカ１１から出力する音声は、警告音でも警告メッセージでもよい。
【００６１】
コントローラ１０は、ユーザが歩行していると判定し、ユーザが交差点領域にいると判定し、かつ、ユーザに接近する車両がある場合、表示、振動に加え音の３つの手段で通知を行うことで、ユーザにより注意が必要な状態であることを通知することができる。これにより、スマートフォン１は、ユーザが歩きながら画面を表示させている場合、状況に応じてより適切な実行することができる。
【００６２】
また、スマートフォン１は、ユーザが歩行していると判定し、ユーザが交差点領域にいると判定し、かつ、ユーザに接近する車両がある場合、第１画面、第２画面のそれぞれと異なる第３画面を表示させるようにしてもよい。第３画面としては、例えば「衝突危険」というメッセージがある。
【００６３】
また、スマートフォン１は、ユーザが歩行していると判定し、ユーザが交差点領域にいると判定し、かつ、ユーザに接近する車両がある場合、画面に対する操作を制限する。もしくは、スマートフォン１は、ユーザが歩行していると判定し、かつ、ユーザが交差点領域にいると判定した場合、画面に対する操作を制限する。スマートフォン１は、ユーザが歩いていると判定し、ユーザが交差点領域にいないと判定した場合、画面に対する操作を有効としてもよい。もしくは、スマートフォン１は、ユーザが歩いていると判定し、ユーザに接近する車両がいない場合、画面に対する操作を有効としてもよい。これにより、ユーザは、画面に対する操作が制限されることで、スマートフォン１の操作に集中し、周囲の状況変化への対応に遅れることを抑制することができる。
【００６４】
なお、ある実施形態のスマートフォン１は、ユーザが歩行していると判定し、ユーザが交差点領域にいると判定し、かつ、ユーザに接近する車両があるかを判定した場合、報知部を用いた報知を実行したが、ユーザが歩行していると判定し、かつ、ユーザに接近する車両があるかを判定した場合に報知部を用いた報知を実行してもよい。このようにユーザが所定領域にいない場合も、ユーザに接近する車両がある場合に報知部で報知することでより、ユーザに必要な情報を適切に報知することができる。また、スマートフォン１、通信部で車両１０２と直接通信を行い、直接通信の結果に応じて車両が接近しているかを検出してもよい。
【００６５】
上記実施形態では、スマートフォン１が通信を行う対象を路側機１０４とし、対象の領域を交差点としたが、これに限定されない。スマートフォン１は、周囲の情報を取得する状況検出部として、通信ユニット６に加え、または、変えて、ＧＰＳ受信機２４でＧＰＳ衛星の情報を受信し、現在の位置情報を特定し、道路の中で危険度の高い道路を所定領域として予め設定し、危険度の高い道路を歩行している場合に所定領域にいると判定する処理としてもよい。スマートフォン１は、周囲の情報を取得する状況検出部として、ＧＰＳ衛星以外の測位用人工衛星からの電波信号の受信機を利用し、現在の位置情報を特定してもよい。
【００６６】
また、上記実施形態では、所定領域を交差点領域としたがこれに限定されない。図９は、実施形態の一つに係るスマートフォンが行う制御の一例を示すフローチャートである。図９に示す処理のうち、図６に示す処理と同様の処理については、説明を簡略化する。
【００６７】
まず、コントローラ１０は、ステップＳ１２として、画面を表示中であるかを判定する。コントローラ１０は、画面を表示中ではない（ステップＳ１２でＮｏ）と判定した場合、ステップＳ１２の処理に戻る。コントローラ１０は、画面を表示中である（ステップＳ１２でＹｅｓ）と判定した場合、ステップＳ１４として、センサの検出結果を取得する。
【００６８】
コントローラ１０は、センサの検出結果を取得した後、ステップＳ１６として、ユーザが歩行しているかを判定する。コントローラ１０は、ユーザが歩行していない（ステップＳ１６でＮｏ）と判定した場合、ステップＳ１２に戻る。コントローラ１０は、ユーザが歩行している（ステップＳ１６でＹｅｓ）と判定した場合、ステップＳ５２として、ユーザが駅のホーム内にいるかを判定する。ある実施形態のコントローラ１０は、通信ユニット６から取得した情報と状況判定データ９Ｂとに基づいて、駅のホームに設置された通信部と通信が確立しているかを判定する。コントローラ１０は、駅のホームに設置された通信部と通信を確立していると判定した場合、駅のホーム内にいると判定する。
【００６９】
コントローラ１０は、ユーザが駅のホーム内にいない（ステップＳ５２でＮｏ）と判定した場合、ステップＳ２４として、第１画面を表示させる。第１画面は、「歩きスマホ注意」というメッセージを含み背景が透明な画像を表示している画面に積層させた画面である。コントローラ１０は、ユーザが駅のホーム内にいる（ステップＳ５２でＹｅｓ）と判定した場合、ステップＳ２０として、第２画面を表示させ、ステップＳ２２として、バイブレータ２２でハウジング２０を振動させる。第２画面は、「周囲に注意してください」というメッセージを含み背景が透明な画像を表示している画面に積層させた画面である。
【００７０】
このように、スマートフォン１は、交差点に限定されず、種々の場所を所定領域に設定することができる。スマートフォン１は、注意が必要な場所を所定領域に設定し、所定領域で歩いている場合、報知部による報知を行うことで、より注意が必要な場所で歩いて画面を表示させている場合、より注意が必要であることをユーザに通知することができる。
【００７１】
また、駅のホームにいるかは、通信部の通信の結果ではなく、位置情報と地図情報に基づいて特定してもよい。
【００７２】
また、スマートフォン１は、所定領域をエスカレータ、階段とし、エスカレータ、階段にいることを検出し、かつ、歩いている場合は、画面表示に加え、報知部からの報知を行うようにしてもよい。これにより、エスカレータ、階段の段差に躓いたり、落ちたりすることを抑制できる。また、エスカレータ、階段にいるか否かの検出は、気圧センサ１９の気圧の変化に基づいて判定することができる。つまり、スマートフォン１は、状況検出部として気圧センサ１９を用いることができる。また、スマートフォン１は、エスカレータ、階段にいるか否かの検出として、位置情報と地図情報に基づいて判定してもよいし、エスカレータ、階段に設置された近距離無線通信可能な通信部と通信することで検出してもよい。
【００７３】
本出願の開示する実施形態は、発明の要旨及び範囲を逸脱しない範囲で変更することができる。さらに、本出願の開示する実施形態及びその変形例は、適宜組み合わせることができる。例えば、上記の実施形態は、以下のように変形してもよい。
【００７４】
例えば、図５に示した各プログラムは、複数のモジュールに分割されていてもよいし、他のプログラムと結合されていてもよい。
【００７５】
上記の実施形態では、携帯電子装置の例として、スマートフォンについて説明したが、添付の請求項に係る装置は、スマートフォンに限定されない。添付の請求項に係る装置は、スマートフォン以外の携帯電子機器であってもよい。携帯電子機器は、表示部と操作部と他の機器と通信を行う通信部を備えていればよく、例えば、モバイルフォン、タブレット、携帯型パソコン、デジタルカメラ、メディアプレイヤ、電子書籍リーダ、ナビゲータ、及びゲーム機を含むが、これらに限定されない。
【００７６】
添付の請求項に係る技術を明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成を具現化するように構成されるべきである。
【符号の説明】
【００７７】
１  スマートフォン
２  タッチスクリーンディスプレイ
２Ａ  ディスプレイ
２Ｂ  タッチスクリーン
３  ボタン
４  照度センサ
５  近接センサ
６  通信ユニット
７  レシーバ
８  マイク
９  ストレージ
９Ａ  制御プログラム
９Ｂ  状況判定データ
９Ｃ  移動状態データ
９Ｄ  設定データ
１０  コントローラ
１１  スピーカ
１２、１３  カメラ
１４  コネクタ
１５  加速度センサ
１６  方位センサ
１７  ジャイロスコープ
１８  磁気センサ
１９  気圧センサ
２０  ハウジング
２２  バイブレータ
２３  発光部
２４  ＧＰＳ受信機  
１００  制御システム
１０２  車両
１０４  路側機
１０６、１０８  信号機
１０９  交差点
１１０  横断歩道
１１２  通信部
１１４  制御部
１１６  記憶部
１２０  所定領域
【図１】
2018042292.tif 000003
【図２】
2018042292.tif 000004
【図３】
2018042292.tif 000005
【図４】
2018042292.tif 000006
【図５】
2018042292.tif 000007
【図６】
2018042292.tif 000008
【図７】
2018042292.tif 000009
【図８】
2018042292.tif 000010
【図９】
2018042292.tif 000011